(57)【要約】【課題】熱水による腐食を防ぎ、過負圧で変形しない適正な強度を有する貯湯タンクを提供すること。【解決手段】本発明の貯湯タンクは、一端に略円形状の開放部１０と、他端に略ドーム形状の閉塞部１１とを有する胴部１ａ（１ｂ）を２つ備え、胴部１ａ（１ｂ）の端部を形成する略円形状の開放部１０から略接線垂直方向に延伸するフランジ部２を設けるとともに、２つの胴部を互いのフランジ部２同士を接合して構成して、過負圧で変形しやすい胴中央部には合い接合されたフランジ部が胴部の強度体となり、補強リブや補強リングによる強度補強を必要とすることなく、変形を防止することができる。【選択図】図１
2010078276.tif 000002
【特許請求の範囲】
【請求項１】
一端に略円形状の開放部と、他端に略ドーム形状の閉塞部とを有する胴部を２つ備え、前記胴部の端部を形成する略円形状の開放部から略接線垂直方向に延伸するフランジ部を設けるとともに、前記２つの胴部を互いのフランジ部同士を接合して構成することを特徴とする貯湯タンク。
【請求項２】
前記２つのフランジ部の間に軟質なガスケットを挟み込み、その後前記２つのフランジ部をねじで締結することを特徴とする請求項１に記載の貯湯タンク。
【発明の詳細な説明】
【技術分野】
【０００１】
本発明は、ヒータやヒートポンプ等の加熱源を備えた貯湯式給湯機が有する貯湯タンクの構造に関するものである。
【背景技術】
【０００２】
従来より、ヒータやヒートポンプ等の加熱源で高温水を生成し、貯湯タンク内に高温水を貯える貯湯式給湯機がある。そしてその貯湯タンクには、鉄にガラスを溶着させたホーローや、ステンレスなどの材質が用いられ、両端を開放した筒型形状の胴部と、この胴部の両端を閉塞するように鏡板が取り付けられ、胴部に上下２つの鏡板が溶接されて貯湯タンクを形成していた（例えば、特許文献１参照）。
【０００３】
特許文献１に記載の貯湯タンクは、円筒形状であり、胴中央部が過負圧で変形しやすいために補強リングを取り付けて負圧に対する強度を向上させている。
【０００４】
一方、ホーローやステンレスを材質に用いた貯湯タンクにおいては、熱水による腐食が発生することが知られており、特に、腐食しにくいステンレス製のタンクにおいても水質により、溶接部の腐食や、すきま腐食が発生することが一般に知られている。これに対して、温水での貯湯タンクの腐食を防ぐために、プラスチック製の貯湯タンクも従来より提案されていた（例えば、特許文献２参照）。
【特許文献１】特開平１０−７３３２１号公報
【特許文献２】特開２００４−３５３９３０号公報
【発明の開示】
【発明が解決しようとする課題】
【０００５】
しかしながら、ホーロー製やステンレス製の貯湯タンクでは、熱水による腐食を充分防ぐことができず、また、従来のプラスチック製の貯湯タンクでは、押し出しブロー成型で製造されるため、貯湯タンクの均一な肉厚の保障が無く、特に過負圧で変形しやすい胴中央部の強度不足を懸念しなければならないという課題を有していた。
【０００６】
本発明は、前記従来の課題を解決するもので、熱水による腐食を防ぎ、過負圧で変形しない適正な強度を有する貯湯タンクを提供することを目的とする。
【課題を解決するための手段】
【０００７】
前記従来の課題を解決するために、本発明の貯湯タンクは、一端に略円形状の開放部と、他端に略ドーム形状の閉塞部とを有する胴部を２つ備え、胴部の端部を形成する略円形状の開放部から略接線垂直方向に延伸するフランジ部を設けるとともに、２つの胴部を互いのフランジ部同士を接合して構成することにより、過負圧で変形しやすい胴中央部には合い接合されたフランジ部が胴部の強度体となり、補強リブや補強リングによる強度補強を必要とすることなく、変形を防止することができる。
【発明の効果】
【０００８】
本発明は、熱水による腐食を防ぎ、過負圧で変形しない適正な強度を有する貯湯タンクを提供することができる。
【発明を実施するための最良の形態】
【０００９】
第１の発明の貯湯タンクは、一端に略円形状の開放部と、他端に略ドーム形状の閉塞部とを有する胴部を２つ備え、胴部の端部を形成する略円形状の開放部から略接線垂直方向に延伸するフランジ部を設けるとともに、２つの胴部を互いのフランジ部同士を接合して構成することにより、過負圧で変形しやすい胴中央部には合い接合されたフランジ部が胴部の強度体となり、補強リブや補強リングによる強度補強を必要とすることなく、変形を防止することができる。
【００１０】
さらに、筒型形状の胴部は一端を縦長のドーム形状に閉塞し、他端にフランジ部を設けて開放部を備えているので、均一な肉厚を保障しにくいブロー成型ではなく、射出成型を用いることができ、適正な肉厚を安定して成型することが可能である。
【００１１】
第２の発明の貯湯タンクは、特に第１の発明において、２つのフランジ部の間に軟質なガスケットを挟み込み、その後、２つのフランジ部をねじで締結することにより、特殊な設備を使用せずに、簡素な構成で漏れを防止し、かつ接合できるとともに、ねじで締結したことで、接合面に垂直な方向での引っ張り強度を補強することができ、内部の液体が漏れにくい安全性を向上させることができる。
【００１２】
以下、本発明の実施の形態について、図面を参照しながら説明する。なお、この実施の形態によって本発明が限定されるものではない。
【００１３】
（実施の形態１）
図１は、本発明の実施の形態１における貯湯タンクの構成図であり、図２は、実施の形態１における貯湯タンクを構成する胴部の斜視図である。
【００１４】
図１および図２において、本発明の貯湯タンクは２つの胴部１ａおよび１ｂで構成される。胴部１ａ（１ｂ）は熱水で腐食しにくいプラスチックを材質として用いて成形され、一端に略円形状の開放部１０と、他端には略ドーム形状の閉塞部１１とを有している。さらに、胴部１ａ（１ｂ）の開放部１０側の端部で、かつ開放部１０の外周方向にフランジ部２が設けられており、フランジ部２は開放部１０から略接線垂直方向に延伸して設けられている。そして、胴部１ａおよび胴部１ｂのフランジ部２同士を密着させて溶接して接合することで貯湯タンクとしている。
【００１５】
胴部１ａおよび１ｂには、閉塞部１１側に給水配管もしくは給湯配管のいずれかを接続できるように湯水の供給口が設けられ、胴部１ａには給湯口３ａが設けられ、胴部１ｂには給水口３ｂが設けられている。なお、給湯口３ａには給湯配管が接続されて高温水が給湯端末へ供給される構成となり、給水口３ｂには給水配管が接続されて低温水が給水源から減圧弁（図示せず）を介して一定の圧力に保たれた水が給水される構成となっている。
【００１６】
貯湯タンク内には一定の圧力が掛かることになるが、フランジ部２では溶接で隙間無く接合しているので、貯湯タンク内の湯水が漏れることはない。さらに給湯口３ａからの給湯量が、給水口３ｂからの給水量よりも多い場合は、貯湯タンク内は負圧になり変形しようとするが、変形しやすい胴中央部には合い接合されたフランジ部２が胴部の強度体となり、補強リブや補強リングによる強度補強を必要とせず、変形を防止することができる。
【００１７】
また、熱水で腐食しにくいプラスチックで成形しているため、使用する水質によっても腐食することはなく、経年的にも穴があいて漏れることのない、高い安全性を有している。
【００１８】
図２において、胴部１は一端を閉塞し、他端にフランジ部２を設けた開口部を備えた形状としているため、射出成形の金型で構成しやすい。射出成形はブロー成形と異なり、金型で構成された空間に溶解した樹脂を圧力をかけて注入するため、成形後の樹脂肉厚を適正な肉厚で管理することが可能である。したがって、給水口３ｂからの一定圧力および給湯口３ａから給湯する毎に発生する圧力変動にも十分耐えることができ、かつ安全性の高い貯湯タンクを構成することができる。
【００１９】
図３は、本発明の別の形態における貯湯タンクの構成図を示す。図３において、軟質な環形のガスケット４を上記筒型形状の胴部１のフランジ２で挟み込み、ねじ５で締結した構成としている。
【００２０】
環形のガスケット４はゴム製、ねじ５は金属製のものを使用してある。この構成により、プラスチックの溶接等の特殊な設備を使用せずに、簡素な構成で漏れを防止しかつ接合できるとともに、金属ねじで締結したことで、接合面に垂直な方向での引っ張り強度を補強することができ、過負圧での変形および過加圧での変形を防止することができ、漏れにくく安全性の高い貯湯タンクを提供することができる。この構成においては、締結する金属ねじの本数を多くすることで簡単に強度向上を図ることができ、高い安全性をもった貯湯タンクをつくることができる。
【００２１】
なお、軟質な環形のガスケット４はフッソゴムを用いたが、使用する水質や温度によって他の材質のゴムを使用しても良く、また、環形のガスケット４を２重に使用してもさらに安全性は高くなり、フッソやＨ−ＮＢＲやＥＰＭと使い分けても良い。また、ネジに関しても、複数本のネジの材質を鉄、ステンレス、セラミック等、引っ張り強度や延性の特性毎に使い分けても良い。また、接合手段に用いた軟質な環形のガスケットは、樹脂、ゴム、シール剤等、適切に熱水の漏れを防止できるものならば何でもよい。
【産業上の利用可能性】
【００２２】
以上のように、本発明に係る熱交換器は、ヒートポンプサイクルと給湯サイクルが一体に構成された一体型ヒートポンプ式給湯機、別体に構成された分離型ヒートポンプ式給湯機、給湯用熱交換器で加熱したお湯をそのまま出湯できる直接出湯型ヒートポンプ式給湯機などの各種ヒートポンプ給湯機、さらには熱源に電気ヒータを用いる電気温水器に用いられる貯湯タンクに適用できる。
【図面の簡単な説明】
【００２３】
【図１】本発明の実施の形態１における貯湯タンクの構成図
【図２】同実施の形態１における胴部の斜視図
【図３】別の形態における貯湯タンクの構成図
【符号の説明】
【００２４】
１ａ  胴部
１ｂ  胴部
２    フランジ部
３ａ  給湯口
３ｂ  給水口
４    環形のガスケット
５    ねじ
１０  開放部
１１  閉塞部
【図１】
2010078276.tif 000003
【図２】
2010078276.tif 000004
【図３】
2010078276.tif 000005